(57)【要約】【課題】欠如歯部の顎骨内に埋入される歯科用インプラントを、骨結合後の経時的な骨の吸収を抑制し得る構成にする。【解決手段】  歯科用インプラント１を、長軸に沿ってメネジ部1aが螺設されており、その側周には少なくとも最も口腔内側に位置する完全ネジ部の山径が最も大きい山径となるオネジ部1bが螺設されており、且つそのオネジ部1bの口腔内側にカラー部1cが設けられており、該カラー部1cは最も口腔内側に位置するオネジ部1bの完全ネジ部の谷径を含む部分から始まり該最も口腔内側に位置するオネジ部1bの完全ネジ部の山径に略等しい直径を有する膨出部分まで拡径した後に該谷径に略等しい直径を有する口腔内側部分まで縮径しており、該オネジ部1bの表面及び該カラー部1cの側面が粗面処理されている構成にする。【選択図】図１
2007135751.tif 000002
【特許請求の範囲】
【請求項１】
長軸に沿ってメネジ部(1a)が螺設されており、その側周には少なくとも最も口腔内側に位置する完全ネジ部の山径が最も大きい山径となるオネジ部(1b)が螺設されており、且つそのオネジ部(1b)の口腔内側にカラー部(1c)が設けられており、該カラー部(1c)は最も口腔内側に位置するオネジ部(1b)の完全ネジ部の谷径を含む部分から始まり該最も口腔内側に位置するオネジ部(1b)の完全ネジ部の山径に略等しい直径を有する膨出部分まで拡径した後に該谷径に略等しい直径を有する口腔内側部分まで縮径しており、該オネジ部(1b)の表面及び該カラー部(1c)の側面が粗面処理されていることを特徴とする歯科用インプラント。
【請求項２】
カラー部(1c)の口腔内側端部が曲面状を成しており、且つその曲面も粗面処理されている請求項１に記載の歯科用インプラント。
【請求項３】
カラー部(1c)の口腔内側頂部面が長軸と直交しており、且つその口腔内側頂部面は粗面処理されていない請求項１又は２に記載の歯科用インプラント。
【請求項４】
膨出部分が円柱状に形成されている請求項１から３までのいずれか１項に記載の歯科用インプラント。
【請求項５】
粗面処理されている表面が十点平均粗さ(Ｒｚ)が２〜６０μｍである請求項１から４までのいずれか１項に記載の歯科用インプラント。
【請求項６】
粗面処理されている表面が深さ及び幅が０.０５〜０.５ｍｍの溝又はねじ溝状である請求項１から４までのいずれか１項に記載の歯科用インプラント。
【請求項７】
オネジ部(1b)の完全ネジ部の山径が長軸に沿って同一である請求項１から６までのいずれか１項に記載の歯科用インプラント。
【請求項８】
オネジ部(1b)の完全ネジ部の山径が口腔内側から離れるに従って、小径となっているか又は小径となる部分を持っている請求項１から６までのいずれか１項に記載の歯科用インプラント。
【請求項９】
オネジ部(1b)が多条ネジである請求項１から８までのいずれか１項に記載の歯科用インプラント。
【請求項１０】
口腔内側と反対側の端部が、口腔内側と反対側の端部のオネジ部(1b)の完全ネジ部の谷径から始まる凸な曲面状部(1d)を成している請求項１から９までのいずれか１項に記載の歯科用インプラント。
【請求項１１】
メネジ部(1a)の口腔内側が、口腔内側に行くに従って拡径された截頭円錐形の凹部(1e)を有している請求項１から１０までのいずれか１項に記載の歯科用インプラント。
【請求項１２】
メネジ部(1a)の口腔内側が、凹部(1e)とメネジ部(1a)との間に回転防止部分(1f)を有している請求項１１に記載の歯科用インプラント。
【発明の詳細な説明】
【技術分野】
【０００１】
本発明は、歯科用インプラント治療において、骨結合後の経時的な骨の吸収を抑制し得る、欠如歯部の顎骨内に埋入される歯科用インプラントに関するものである。
【背景技術】
【０００２】
近年、歯科補綴治療の一つとして、欠如歯部の顎骨内に生体親和性に優れたチタン又はチタン合金製の歯科用インプラントを埋入し、骨との直接的な結合（オッセオインテグレーション）を介して天然歯根の代用とする歯科用インプラント治療が普及し、単独歯に対してはクラウンとして、複数歯に対してはブリッジ又はオーバーデンチャーとして用いられ、失った歯の代替として長期間に亘って機能を果たすことが確認されている。
【０００３】
この歯科用インプラント治療において、歯科用インプラントとしては、顎骨内に埋入した際の骨との良好な接合状態を確保するために外周にオネジ部が螺設されており、このオネジ部の口腔内側にオネジ部の螺入深さを規定するための円周方向の切欠き部を介して埋入時の初期固定を確実にするためその直径がオネジ部の最大山径と同一か又は大径のカラー部が設けられたものが広く使用されている（例えば、特許文献１参照。）。そして、このカラー部の口腔内側周面には非粗面処理部が設けられている。このような歯科用インプラントを使用した場合に、歯科用インプラントに咬合圧等により横荷重等が作用すると歯科用インプラントの口腔内側に装着されるアバットメントと歯科用インプラントとの境界付近で顎骨に作用する局部的な力などが原因で、骨頂が徐々に吸収する現象（骨吸収による骨レベルの低下現象）が生じることが報告されており、このような骨結合後の経時的な骨吸収が歯科用インプラント治療における大きな問題とされている。
【０００４】
このような骨結合後の経時的な骨吸収を抑制する一つの方法としては、欠如歯が複数である場合にはブリッジ又はオーバーデンチャーのように歯科用インプラント同士を歯科用補綴物で連結して一つの歯科用インプラントのみに咬合力が過度に負荷されないようにする設計が行われているが、この方法は術者の経験によるところが大きく、総ての術者がこの方法に習熟しているわけではない。
【０００５】
また骨吸収を抑制する別の方法としては、歯科用インプラントとしてオネジ部の口腔内側に設けるカラー部の直径をオネジ部の最大山径より小径である例えば円筒状のものとすることによってオネジ部とカラー部との間の切欠き部の深さを浅くすることで顎骨に局部的な大きな力が作用するのを抑制する方法も提案されているが、顎骨への埋入時に歯科用インプラントが所定の位置に止まり難くなるという欠点があった。
【０００６】
このように従来の歯科用インプラントにおいては、骨結合後の経時的な骨吸収を、欠如歯が単数であっても複数であっても有効に抑制することができなかったのである。
【０００７】
【特許文献１】特開２００１−３２１３９２号公報
【発明の開示】
【発明が解決しようとする課題】
【０００８】
本発明は、前記従来技術の欠点を解消し、欠如歯が単数であっても複数であっても骨結合後の経時的な骨吸収を有効に抑制することができる歯科用インプラントを提供することを課題とする。
【課題を解決するための手段】
【０００９】
本発明者らは前記課題を解決すべく鋭意研究の結果、骨の経時的な吸収は、歯科用インプラントとアバットメントとの境界付近での局部的な応力集中が生じることや、歯科用インプラントにはその外周に螺設されているオネジ部の口腔内側にオネジ部の螺入深さを規定するための円周方向の切欠き部が設けられているので、歯科用インプラントに咬合圧等により横荷重が作用するとその切欠き部で顎骨に局部的な力が作用することによって生じることを究明し、オネジ部の口腔内側に切欠き部を設けず、その結果オネジ部の埋入深さを規定することができなくなるのを防止するため、オネジ部の口腔内側に最も口腔内側に位置するオネジ部の完全ネジ部の谷径を含む部分から始まりその最も口腔内側に位置するオネジ部の完全ネジ部の山径に略等しい直径を有する膨出部分まで拡径した後に前記谷径に略等しい直径を有する口腔内側部分まで縮径する形状のカラー部を設けてアバットメントとの境界を含めたカラー部に局部的な力が作用しないようにし、且つオネジ部の表面及びカラー部の側面を粗面処理してオッセオインテグレーションの獲得を促進すればアバットメントとの境界付近の応力を更に分散させることができることを究明して本発明を完成したのである。
【００１０】
即ち本発明は、長軸に沿ってメネジ部が螺設されており、その側周には少なくとも最も口腔内側に位置する完全ネジ部の山径が最も大きい山径となるオネジ部が螺設されており、且つそのオネジ部の口腔内側にカラー部が設けられており、該カラー部は最も口腔内側に位置するオネジ部の完全ネジ部の谷径を含む部分から始まり該最も口腔内側に位置するオネジ部の完全ネジ部の山径に略等しい直径を有する膨出部分まで拡径した後に該谷径に略等しい直径を有する口腔内側部分まで縮径しており、該オネジ部の表面及び該カラー部の側面が粗面処理されていることを特徴とする歯科用インプラントである。
【００１１】
そしてこのような歯科用インプラントにおいて、カラー部の口腔内側端部が曲面状を成しており且つその曲面も粗面処理されていると、骨がその曲面状を成している部分まで覆うことになるので歯科用インプラントの骨内での維持力を増すことができ、カラー部の口腔内側頂部面が長軸と直交しており且つその口腔内側頂部面は粗面処理されていないと、カラー部の口腔内側頂部面まで骨が成長することが少なく、骨と歯肉及び歯科用インプラント１による比較的安定な歯周組織を形成し易くなり、またカラー部の膨出部分が円柱状に形成されていると、同じ高さのカラー部であれば鋭角となる部分が少なくなるので骨の成長に悪条件を与えなくなるので好ましく、粗面処理されている表面は、十点平均粗さ(Ｒｚ)が２〜６０μｍであるか、深さ及び幅が０.０５〜０.５ｍｍの溝又はねじ溝状であることが好ましいことを究明したのである。
【００１２】
更に、オネジ部は完全ネジ部の山径が長軸に沿って同一であっても、完全ネジ部の山径が口腔内側から離れるに従って、小径となっているか又は小径となる部分を持っていてもよく、オネジ部が多条ネジであると、結果的にオネジ部のピッチが大きくなるので顎骨内に形成された埋入穴内に迅速に埋入することができて患者の負担を軽減できると共に術者の治療効率を向上させることができ、口腔内側と反対側の端部が口腔内側と反対側の端部のオネジ部の完全ネジ部の谷径から始まる凸な曲面状部を成していると、欠如歯部の顎骨内に形成された埋入穴内に歯科用インプラントが埋入される際にこの曲面状部が埋入孔の先端部に形成された円錐形部を圧迫して骨を損傷することが少なく、メネジ部の口腔内側が口腔内側に行くに従って拡径された截頭円錐形の凹部を有していると、歯科用インプラントの口腔内側に固定されるアバットメントの嵌合を確実且つ強固にすることができ、メネジ部の口腔内側が前記截頭円錐形の凹部とメネジ部との間に回転防止部分を有していると、歯科用インプラントの口腔内側に固定されるアバットメントを回転しない状態に確実に位置固定させることができることも究明したのである。
【発明の効果】
【００１３】
このような本発明に係る歯科用インプラントは、長軸に沿ってメネジ部が螺設されており、その側周には少なくとも最も口腔内側に位置する完全ネジ部の山径が最も大きい山径となるオネジ部が螺設されている点では従来の歯科用インプラントと同様であるが、このオネジ部の口腔内側にはオネジ部の螺入深さを規定するための円周方向の切欠き部が設けられておらず、そのオネジ部の口腔内側に、最も口腔内側に位置するオネジ部の完全ネジ部の谷径を含む部分から始まり最も口腔内側に位置するオネジ部の完全ネジ部の山径に略等しい直径を有する膨出部分まで拡径した後にその谷径に略等しい直径を有する口腔内側部分まで縮径したカラー部が直ちに設けられているので、歯科用インプラントに咬合圧等により横荷重が作用しても顎骨に局部的な力が作用して骨吸収が生じせしめる部分が存在しないにも拘らず、カラー部は最も口腔内側に位置するオネジ部の完全ネジ部の谷径を含む部分から始まり最も口腔内側に位置するオネジ部の完全ネジ部の山径に略等しい直径を有する膨出部分まで拡径した部分が存在するので欠如歯部の顎骨内に穿設された埋入穴内へのオネジ部の螺入深さを規定することができ、且つオネジ部の表面及びこのカラー部の側面が粗面処理されていてオッセオインテグレーションの獲得を促進することによりアバットメントとの境界付近の応力集中を更に分散させることができるのである。
【００１４】
そして、カラー部の口腔内側端部が曲面状を成しており且つその曲面も粗面処理されていると、骨がその曲面状を成している部分まで覆うことになるので歯科用インプラントの骨内での維持力を増すことができ、カラー部の口腔内側頂部面が長軸と直交しており且つその口腔内側頂部面は粗面処理されていないと、カラー部の口腔内側頂部面まで骨が成長することが少ないと共に歯科用補綴物を作製する際に隣接歯と歯科用インプラントとの位置関係を得るために印象を採得するに当ってカラー部の口腔内側頂部面に位置する歯肉は粗面処理されていないカラー部の口腔内側頂部面に接触しているだけであるので印象材を取り外す際に引き剥がされて破壊されることがなく、またカラー部の膨出部分が円柱状に形成されていると、同じ高さのカラー部であれば鋭角となる部分が少なくなるので骨の成長に悪条件を与えなくなり、粗面処理されている表面は、十点平均粗さ(Ｒｚ)が２〜６０μｍであるか、深さ及び幅が０.０５〜０.５ｍｍの溝又はねじ溝状であることが好ましいのである。
【００１５】
更に、オネジ部は完全ネジ部の山径が長軸に沿って同一であっても、完全ネジ部の山径が口腔内側から離れるに従って、小径となっているか又は前記特許文献１のように小径となる部分を持っていてもよく、オネジ部が多条ネジであると、結果的にオネジ部のピッチが大きくなるので顎骨内に形成された埋入穴内に迅速に埋入することができて患者の負担を軽減できると共に術者の治療効率を向上させることができ、口腔内側と反対側の端部が口腔内側と反対側の端部のオネジ部の完全ネジ部の谷径から始まる凸な曲面状部を成していると、欠如歯部の顎骨内に形成された埋入穴内に歯科用インプラントが埋入される際にこの曲面状部が埋入孔の先端部に形成された円錐形部を圧迫して骨を損傷することが少なく、メネジ部の口腔内側が口腔内側に行くに従って拡径された截頭円錐形の凹部を有していると、歯科用インプラントの口腔内側に固定されるアバットメントの嵌合を確実且つ強固にすることができ、メネジ部の口腔内側が前記截頭円錐形の凹部とメネジ部との間に回転防止部分を有していると、歯科用インプラントの口腔内側に固定されるアバットメントにこの回転防止部分に係合する係合部分を設けることによってアバットメントを回転しない状態に確実に位置固定させることができ、精度の高い歯科用補綴物の作製が可能となるのである。
【発明を実施するための最良の形態】
【００１６】
以下、図面により本発明に係る歯科用インプラントについて詳細に説明する。
図１は本発明に係る歯科用インプラントの１実施例の縦断面説明図、図２は同正面図、図３は図２のＡ部拡大説明面図である。
【００１７】
図面中、１は本発明に係る歯科用インプラントであり、一般的にはチタン又はチタン合金製で、長軸に沿ってメネジ部1aが螺設されており、その側周には少なくとも最も口腔内側に位置する完全ネジ部の山径が最も大きい山径となるオネジ部1bが螺設されており、且つそのオネジ部1bの口腔内側には最も口腔内側に位置するオネジ部1bの完全ネジ部の谷径を含む部分から始まり前記最も口腔内側に位置するオネジ部の完全ネジ部の山径に略等しい直径を有する膨出部分まで拡径した後に前記谷径に略等しい直径を有する口腔内側部分まで縮径しているカラー部1cが設けられていて、そのオネジ部1bの表面及びカラー部1cの側面が粗面処理されている。
【００１８】
この粗面処理方法としては、サンドブラスト処理や酸処理やプラズマス溶射処理や水酸アパタイト被覆処理等によりその十点平均粗さ(Ｒｚ)が２〜６０μｍとなる粗面処理や、深さ及び幅が０.０５〜０.５ｍｍの溝又はねじ溝状の加工による粗面処理が好ましく採用できる。ここで、十点平均粗さ(Ｒｚ)が２〜６０μｍであることが好ましい理由は、２μｍ未満では粗面化の程度が小さいので顎骨との接触面積を大きくしてオッセオインテグレーションの獲得を促進する効果が少なく、また６０μｍを超えると粗面化の程度が大きすぎて短期間での顎骨と粗面部とのオッセオインテグレーションの獲得を期待できないからであり、また溝又はねじ溝状の加工による場合の溝又はねじ溝状の深さ及び幅がが０.０５〜０.５ｍｍであることが好ましい理由は、０.０５ｍｍ未満では粗面化の程度が小さいので顎骨との接触面積を大きくしてオッセオインテグレーションの獲得を促進する効果が少なく、また０.５ｍｍを超えると粗面化の程度が大きすぎて顎骨内に形成される埋入穴内に予め溝又はねじ溝状と略等しい形状を付与しておかなければならず、術式上のステップが複雑になるからである。
【００１９】
前記オネジ部1bはその完全ネジ部の山径が、長軸に沿って同一であっても、口腔内側から離れるに従って、小径となっているか又は小径となる部分を持っていてもよく、またこのオネジ部1bは多条ネジであると、結果的にオネジ部1bのピッチが大きくなるので顎骨内に形成された埋入穴内に迅速に埋入することができるので、患者の負担を軽減できると共に術者の治療効率を向上させることができるので好ましい。
【００２０】
また、カラー部1cの口腔内側端部が曲面状を成しており且つその曲面も粗面処理されていると、骨がその曲面状を成している部分まで覆うことになるので歯科用インプラント１の骨内における維持力を増すことができ、カラー部1cの口腔内側頂部面が長軸と直交しており且つその口腔内側頂部面は粗面処理されていないと、カラー部1cの口腔内側頂部面まで骨が成長することが少なく、骨と歯肉及び歯科用インプラント１による比較的安定な歯周組織を形成し易くなる。このときカラー部1cの口腔内側頂部面が滑沢な面を成していればこの効果がより助長されて好ましい。カラー部1cの膨出部分が円柱状に形成されていると、同じ高さのカラー部であれば鋭角となる部分が少なくなるので骨の成長に悪条件を与えなくなって好ましいである。
【００２１】
そして、口腔内側と反対側の端部が、口腔内側と反対側の端部のオネジ部1bの完全ネジ部の谷径から始まる凸な曲面状部1dを成していると、欠如歯部の顎骨内に形成された埋入穴内に歯科用インプラント１が埋入される際にこの曲面状部1dが埋入孔先端に形成された円錐形部を圧迫して顎骨を損傷することが少なくなって好ましいのである。このとき、埋入に先立って欠如歯部の顎骨内に形成される埋入穴先端の円錐形部までの深さと曲面状部の深さとがほぼ等しいことが好ましいのは勿論である。
【００２２】
また、歯科用インプラント１の口腔内側より長軸に沿って螺設されているメネジ部1aの口腔内側が口腔内側に行くに従って拡径された截頭円錐形の凹部1eを有していると、歯科用インプラント１の口腔内側に固定されるアバットメント（図示せず）の嵌合を確実且つ強固にすることができる、そしてメネジ部1aの口腔内側が凹部1eとメネジ部1aとの間に角筒状（図示した実施例では六角形状）などの回転防止部分1fを有していると、歯科用インプラントの口腔内側に固定されるアバットメントにこの回転防止部分1fに係合する角柱状などの係合部を係合させることによってアバットメントを回転しない状態に歯科用インプラント１に確実に位置固定させることができ、精度の高い歯科用補綴物の作製が可能となるのである。
【図面の簡単な説明】
【００２３】
【図１】本発明に係る歯科用インプラントの１実施例の縦断面説明図である。
【図２】図１の正面図である。
【図３】図２のＡ部拡大説明面図である。
【符号の説明】
【００２４】
１  本発明に係る歯科用インプラント
1a  メネジ部
1b  オネジ部
1c  カラー部
1d  曲面状部
1e  截頭円錐形の凹部
1f  回転防止部分
【図１】
2007135751.tif 000003
【図２】
2007135751.tif 000004
【図３】
2007135751.tif 000005